(57)【要約】      （修正有）【課題】簡単かつ確実に石枠を取り付けることができる付加価値の高い装身具で、またその装飾性についてもパウダー状の地金を配合して非常に高級感のある装身具とするフリーサイズ指輪を提供する。【解決手段】シリコンゴムからなる指輪本体２１と、指輪本体の適所に設けた筒状の空洞に取り付けた石枠２３とで構成され、石枠は上面に形成した凹所３２に宝石３３を留めた石枠本体と、石枠本体に細首部を介して連結した脱落防止用の大径部とで形成され、空洞に設けた内向きフランジ部を細首部にはめ込むようにして指輪本体の空洞に石枠を装着したことを特徴とする。【選択図】図１
0003183612.tif 000002
【実用新案登録請求の範囲】
【請求項１】
シリコンゴムからなる指輪本体と、該指輪本体の適所に設けた筒状の空洞に取り付けた石枠とで構成され、前記石枠は上面に形成した凹所に宝石を留めた石枠本体と、該石枠本体に細首部を介して連結した脱落防止用の大径部とで形成され、前記空洞に設けた内向きフランジ部を前記細首部にはめ込むようにして前記指輪本体の空洞に石枠を装着したことを特徴とするフリーサイズ指輪。
【請求項２】
前記シリコンゴムからなる指輪本体は、シリコンゴムにパウダー状の地金が配合されていることを特徴とする請求項１に記載のフリーサイズ指輪。
【請求項３】
前記シリコンゴムからなる指輪本体は、シリコンゴムに配合するパウダー状の地金を適宜組み合わせることにより所望の色合いを作り出すようにしたことを特徴とする請求項２に記載のフリーサイズ指輪。
【請求項４】
前記石枠は、前記石枠本体に細首部を介して連結した脱落防止用の大径部が、前記石枠本体よりも大きい径に形成されていることを特徴とする請求項１ないし３のいずれかに記載のフリーサイズ指輪。
【請求項５】
前記石枠は、前記石枠本体に細首部を介して連結した脱落防止用の大径部が、その背面を弧状断面に形成されていることを特徴とする請求項１ないし４のいずれかに記載のフリーサイズ指輪。
【考案の詳細な説明】
【技術分野】
【０００１】
この考案は、シリコンゴムからなる素材に宝石を搭載した石枠を確実に装着することができ、また貴金属製装身具に使用されている金やプラチナ、銀、それらの合金等の貴金属、あるいは銅などの金属からなる地金をパウダー状にして、顔料を含まないシリコンゴムに均等に混ぜ込んで見た目にも高級感があり、かつシリコンゴム素材の伸縮性を利用したフリーサイズ指輪に関するものである。
【背景技術】
【０００２】
従来、特開２００４−１８７０５号公報（特許文献１参照）、特開２００６−２６５１０５号公報（特許文献２参照）のように、シリコンゴム素材を利用した装飾品としては、トルマリン、ゲルマニウム、シリカや磁気などを混合させて遠赤外線やマイナスイオンを発生したり、また身体のバランスを整える効能や美容にも供することができる健康あるいは美容ジュエリーとして活用するようにしたものが知られている。
【０００３】
また、特開２００３−２７７６１１号公報（特許文献３参照）には、光透過性のシリコンゴムの母材の層内に、雲母の外周に酸化チタンまたは酸化鉄を被覆して成る粒状のパール顔料を添加配設し、パール色調にして任意基調色の放彩を可能に構成した構造のゴム質素材と、このゴム質素材からなるブレスレット等の装身具が提案されている。
【先行技術文献】
【特許文献】
【０００４】
【特許文献１】特開２００４−１８７０５号公報
【特許文献２】特開２００６−２６５１０５号公報
【特許文献３】特開２００３−２７７６１１号公報
【考案の概要】
【考案が解決しようとする課題】
【０００５】
しかしながら、従来のゴム質素材からなる装身具においては、石枠を取り付けて付加価値を高めることは何ら考慮されておらず、またその装飾性については顔料等の添加のみによって効果を得ようとするものであるため、ほとんど高級感のある装身具を得ることは不可能な状況であった。
【０００６】
本考案は従来例の以上のような欠点をなくすためになされたものであり、簡単かつ確実に石枠を取り付けることができて付加価値の高い装身具を提供することができ、特にフリーサイズ指輪として非常に有用であるばかりか、またその装飾性についてもパウダー状の地金を配合して非常に高級感のある装身具を得ることを目的とするものである。
【課題を解決するための手段】
【０００７】
すなわちこの考案のフリーサイズ指輪は、シリコンゴムからなる指輪本体と、該指輪本体の適所に設けた筒状の空洞に取り付けた石枠とで構成され、前記石枠は上面に形成した凹所に宝石を留めた石枠本体と、該石枠本体に細首部を介して連結した脱落防止用の大径部とで形成され、前記空洞に設けた内向きフランジ部を前記細首部にはめ込むようにして前記指輪本体の空洞に石枠を装着したことを特徴とするものである。
【０００８】
この考案のフリーサイズ指輪において、前記シリコンゴムからなる指輪本体は、シリコンゴムにパウダー状の地金が配合されていることをも特徴とするものである。
【０００９】
この考案のフリーサイズ指輪において、前記シリコンゴムからなる指輪本体は、シリコンゴムに配合するパウダー状の地金を適宜組み合わせることにより所望の色合いを作り出すようにしたことをも特徴とするものである。
【００１０】
この考案のフリーサイズ指輪において、前記石枠は、前記石枠本体に細首部を介して連結した脱落防止用の大径部が、前記石枠本体よりも大きい径に形成されていることをも特徴とするものである。
【００１１】
この考案のフリーサイズ指輪において、前記石枠は、前記石枠本体に細首部を介して連結した脱落防止用の大径部が、その背面を弧状断面に形成されていることをも特徴とするものである。
【考案の効果】
【００１２】
この考案のフリーサイズ指輪は以上のように構成したので、簡単かつ確実に石枠を取り付けることができて付加価値の高い装身具を提供することができ、しかもシリコンゴム素材の特徴である弾力性を生かしてサイズが多少合わない人でも装着可能であり、また指のサイズが変化しても半永久に装着し続けることができる。
またその装飾性についてもパウダー状の地金を配合し、非常に高級感のある装身具を得ることが可能であり、しかもシリコンゴム素材に顔料等を使用しておらず、身体に対してアレルギーなどを引き起こすおそれのない安全な装身具を提供することができるという効果がある。
【図面の簡単な説明】
【００１３】
【図１】本考案のフリーサイズ指輪の斜視図である。
【図２】本考案のフリーサイズ指輪の腕部分を拡大した斜視図である。
【図３】本考案のフリーサイズ指輪の一部を拡大した概略図である。
【図４】本考案のフリーサイズ指輪の石枠をはめ込むための凹所の形状を示した概略側面図である。
【図５】本考案のフリーサイズ指輪の石枠の斜視図である。
【考案を実施するための形態】
【００１４】
以下に、本考案のフリーサイズ指輪を実施するための形態について詳細に説明する。
図１ないし図５に示す実施例において、本考案のフリーサイズ指輪１１は、シリコンゴムからなる指輪本体２１と、該指輪本体２１の適所に設けた筒状の空洞２２に取り付けた石枠２３とで構成されている。したがって本考案のフリーサイズ指輪１１は、シリコンゴム素材の特徴である弾力性を生かしてサイズが多少合わない人でも装着可能であり、また指のサイズが変化しても半永久に装着し続けることができる。
【００１５】
前記フリーサイズ指輪１１の指輪本体２１に取り付けた石枠２３は、上部の石枠本体３１と、該石枠本体３１に細首部３５を介して連結した脱落防止用の大径部３４とで形成され、前記石枠本体３１の上面に形成した凹所３２には、ダイヤモンドその他の宝石３３が爪留めや伏込み、彫止め等の適宜手段で留めてある。
【００１６】
また前記石枠２３は上述のように、前記石枠本体３１と、細首部３５を介して連結した脱落防止用の大径部３４とで形成されており、前記指輪本体２１に設けた筒状の空洞２２のほぼ中間位置に設けた内向きフランジ部２２ａを前記細首部３５にはめ込むようにして前記指輪本体２１の筒状の空洞２２内に装着してある。
【００１７】
ちなみに前記石枠２３は、前記石枠本体３１に細首部３５を介して連結した脱落防止用の大径部３４が、前記石枠本体３１よりも大きい径に形成してあるため、シリコンゴムからなる前記指輪本体２１から容易に抜け落ちることがない。もちろん、このように脱落防止用の大径部３４を前記石枠本体３１よりも大きい径とすることにより、前記石枠２３が装着した指に小さい面積で当たって痛みを感じさせるおそれがない。
【００１８】
さらに前記石枠２３は、前記石枠本体３１に細首部３５を介して連結した脱落防止用の大径部３４が、その背面を弧状断面に形成してあるので、前記石枠２３が装着した指に突き当たった場合でも痛みを感じさせるおそれがなく、また前記弧状断面により前記石枠２３を前記指輪本体２１に設けた筒状の空洞２２内に装着するに際しても無理なく空洞２２内へ押し込むことができる。
【００１９】
図１ないし図３に示すシリコンゴムからなる指輪本体２１は、シリコンゴムにパウダー状の地金４１が配合されている。このようなパウダー状の地金４１としては、金やプラチナ、銀、それらの合金等の貴金属、あるいは銅などの金属からなる地金をパウダー状にしたものが好適に使用できる。
ちなみに前記指輪本体２１には、パウダー状の地金４１が満遍なく均等に混ぜ込まれている。以下にその配合例を示す。
【００２０】
＜配合例＞
本考案のフリーサイズ指輪の各構成部材１００ｇ中における各主成分の配合例は以下の通りである。
パウダー状の金地金    約０．０８％
シリコンゴム素材      約８９．９％
石枠                  約１０．０％
宝石                  約０．０２％
この時の地金は製品の種類によって配合量を変えることができる。
ア）前記パウダー状の金地金として純度９７．６６％の純金粉末を約０．０８％混ぜ込むもの。
イ）前記パウダー状の地金として純度９４．４３％の純金粉末を約０．０６％と純度１００％の銅粉末０．０２％混ぜ込むもの。
ウ）純度１００％の純プラチナ粉末を約０．０４％混ぜ込むもの。
このように、シリコンゴムに配合するパウダー状の地金を適宜組み合わせることにより、所望の色合いを作り出すことができる。
【００２１】
顔料を含まないシリコンゴム素材に地金を均等に混ぜるには、極小サイズのパウダー状に加工する必要がある。極小サイズのパウダー状であれば、金型にも影響は極くわずかで金型が壊れない。また、地金をパウダー状にしてシリコンゴム素材に混ぜることにより、色合いも顔料を使用した場合とは違い、地金そのものの雰囲気に近くなる。
もちろん、地金の種類や配合によって製品の種類も豊富なバリエーションを持つようにすることができる。
他方、貴金属素材そのものを使用した従来の装身具に比べ、地金を使用する割合が少ないため安価で軽い製品ができる上、今まで金属アレルギーで指輪等の装身具を楽しめなかった消費者も直接金属に触れないため、装身具を身に着ける喜びが得られる。
【産業上の利用可能性】
【００２２】
この考案のフリーサイズ指輪は以上のように構成したので、通常の指輪のみならず、トゥリング(toe ring)、ブレスレットやアンクレット、ピアスイヤリングやイヤリング、ネックレス、ペンダント等に無理なく適用することができる。
【符号の説明】
【００２３】
１１  フリーサイズ指輪
２１  指輪本体
２２  空洞
２２ａ  内向きフランジ部
２３  石枠
３１  石枠本体
３２  凹所
３３  宝石
３４  大径部
３５  細首部
４１  地金
【図１】
0003183612.tif 000003
【図２】
0003183612.tif 000004
【図３】
0003183612.tif 000005
【図４】
0003183612.tif 000006
【図５】
0003183612.tif 000007